(57)【要約】【課題】より正確なタイヤ内圧補正値が得られるタイヤ情報管理システムを提供する。【解決手段】タイヤ４内に取り付けられたセンサモジュール３と、センサモジュール３から送信される圧力・温度データをアンテナ２を介して取得する中央制御モジュール５と、タイヤの走行状況を監視する車両運行管理センタ７とを備え、車両運行管理センタ７から中央制御モジュール５へ外気温度の情報の信号を送信して、中央制御モジュール５において、外気温度を用いてタイヤ内圧補正値を得る。【選択図】図１
2007153316.tif 000002
【特許請求の範囲】
【請求項１】
それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、
前記車両運行管理センタから前記中央制御モジュールへ外気温度の情報の信号を送信して、中央制御モジュールにて、前記外気温度を用いてタイヤ内圧補正を行うことを特徴とするタイヤ情報管理システム。
【請求項２】
前記車両運行管理センタから前記中央制御モジュールへ、さらに車両番号情報の信号を送信して、前記センサモジュールと車両とを対応付けることを特徴とする請求項１に記載のタイヤ情報管理システム。
【請求項３】
前記車両運行管理センタから前記中央制御モジュールへ、さらにタイヤの装着位置毎にタイヤ装着位置のタイヤ内に取り付けられたセンサモジュールの識別コード情報の信号を送信することを特徴とする請求項１または２に記載のタイヤ情報管理システム。
【請求項４】
前記車両運行管理センタから前記中央制御モジュールへ、さらに時刻情報の信号を送信し、中央制御モジュールの時刻と車両運行管理センタの時刻を同期させることによって、車両運行管理センタの時刻に同期させた時刻におけるタイヤに関するデータを車両運行管理センタへ送信することを特徴とする請求項１〜３のいずれかに記載のタイヤ情報管理システム。
【請求項５】
前記中央制御モジュールから前記車両運行管理センタへ、タイヤに関するデータとともにタイヤの装着位置情報またはタイヤのセリアル番号情報の信号を送信することを特徴とする請求項１〜４のいずれかに記載のタイヤ情報管理システム。
【請求項６】
それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、
前記車両運行管理センタから前記中央制御モジュールへ車両番号情報の信号を送信して、前記センサモジュールと車両とを対応付けることを特徴とするタイヤ情報管理システム。
【請求項７】
それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、
前記車両運行管理センタから前記中央制御モジュールへ、タイヤの装着位置毎にタイヤ装着位置のタイヤ内に取り付けられたセンサモジュールの識別コード情報の信号を送信することを特徴とするタイヤ情報管理システム。
【請求項８】
それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、
前記車両運行管理センタから前記中央制御モジュールへ時刻情報の信号を送信し、中央制御モジュールの時刻と車両運行管理センタの時刻を同期させることによって、車両運行管理センタの時刻に同期させた時刻におけるタイヤに関するデータを車両運行管理センタへ送信することを特徴とするタイヤ情報管理システム。
【請求項９】
それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、
前記中央制御モジュールから前記車両運行管理センタへ、タイヤに関するデータとともにタイヤの装着位置情報またはタイヤのセリアル番号情報の信号を送信することを特徴とするタイヤ情報管理システム。
【発明の詳細な説明】
【技術分野】
【０００１】
本発明は、タイヤに装着され、タイヤ内圧を含むタイヤの状態を検出する複数のセンサモジュールと、これらのセンサモジュールからタイヤデータを取得する受信モジュールと、受信モジュールにセンサモジュールからのデータ取得を指令する中央制御モジュールと、を備えるタイヤ情報管理システムに関するものである。
【背景技術】
【０００２】
建設用車両等の運行中の車両のタイヤの管理を行うため、タイヤの圧力や温度を測定するセンサモジュールをタイヤの内面に取り付け、このセンサモジュールから送信された測定データ等を含む無線信号を、受信モジュールにより受信して、この信号を複数の車両を管理する車両運行管理センタに送信し、もし故障を起こす危険な状況となった場合に、車両運行管理センタから運転者に適切な処置を指示するタイヤ情報管理システムが提案されている（例えば、特許文献１）。
【０００３】
そして、このシステムには各タイヤ内に装着されるセンサモジュールにそれぞれ対応する受信モジュールが車両に取り付けられていて、この受信モジュールにて処理された信号は、一旦この車両の中央制御モジュールに集められ、この中央制御モジュールから電波で車両運行管理センタに送信される。
【特許文献１】特開平１０−１０４１０３号公報
【発明の開示】
【発明が解決しようとする課題】
【０００４】
ところで、タイヤへの気体の充填は、想定されるある一定の温度で、かつ基準となる推奨圧力値で行われるが、車両の走行によりタイヤの内部温度が上昇すると、タイヤの推奨圧力値も変化する。タイヤ圧力の異常を判断するためには、温度変化後のタイヤの推奨圧力値とタイヤの実際の内圧値を比較する必要があり、そのためには、温度変化後のタイヤの推奨圧力値を算出する必要がある。そして、この温度変化後の推奨圧力値を算出するためには、基準となる推奨圧力値について外気温度と内部温度による補正が必要である。すなわち、温度変化後のタイヤの推奨圧力値を得るためには外気温度の情報が必要である。この外気温度の情報を得るためには、車両に外気温度センサを搭載するという方法も考えられるが、振動や防水性能、落石からの破損、コスト等の問題から、車両に外気温度センサを搭載することは困難である。
【０００５】
また、複数の車両を管理する際に、車両を区別することができず、各車両から送られてくる圧力・温度データの混同を生じるという問題があった。
【０００６】
また、車両に搭載された中央制御モジュールに、タイヤの装着位置毎にタイヤ装着位置のタイヤ内に取り付けられたセンサモジュールの識別コード（センサＩＤ）を登録する際、ノートパソコン等を用いて中央制御モジュールに手作業で入力しているため、作業者による登録ミスが発生する虞れがあった。
【０００７】
さらに、車両運行管理センタ側の時刻と、中央制御モジュール側の時刻との間で同期が取られていないため、圧力・温度を測定した時刻が正確でないという問題があった。
【０００８】
また、車両運行管理センタにおいて、各タイヤの圧力・温度と、タイヤの装着位置やタイヤのセリアル番号との対応付けを手作業で行っていたため、タイヤ管理に多大な労力を必要とするという問題があった。
【０００９】
本発明は、このような問題点に鑑みてなされたものであり、本発明の目的は、より正確なタイヤ内圧補正値が得られ、また複数車両を管理する際にデータの混同を回避でき、また、中央制御モジュールへのセンサモジュールの識別コードの登録ミスを防ぐことができ、また圧力・温度を測定したときの正確な時刻が得られ、さらにタイヤ管理の軽労化を図ることができるタイヤ情報管理システムを提供することにある。
【課題を解決するための手段】
【００１０】
上記目的を達成するため、第1の発明は、それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、前記車両運行管理センタから前記中央制御モジュールへ外気温度の情報の信号を送信して、中央制御モジュールにて、前記外気温度を用いてタイヤ内圧補正を行うことを特徴とする。
【００１１】
前記車両運行管理センタから前記中央制御モジュールへ、車両番号情報の信号を送信して、前記センサモジュールと車両とを対応付けることが好ましく、また、前記車両運行管理センタから前記中央制御モジュールへ、タイヤの装着位置毎にタイヤ装着位置のタイヤ内に取り付けられたセンサモジュールの識別コード情報の信号を送信することが好ましく、また、前記車両運行管理センタから前記中央制御モジュールへ、時刻情報の信号を送信し、中央制御モジュールの時刻と車両運行管理センタの時刻を同期させることによって、車両運行管理センタの時刻に同期させた時刻におけるタイヤに関するデータを車両運行管理センタへ送信することが好ましい。
【００１２】
さらに、前記中央制御モジュールから前記車両運行管理センタへ、タイヤに関するデータとともにタイヤの装着位置情報またはタイヤのセリアル番号情報の信号を送信することが好ましい。
【００１３】
第２の発明は、それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、前記車両運行管理センタから前記中央制御モジュールへ車両番号情報の信号を送信して、前記センサモジュールと車両とを対応付けることを特徴とする。
【００１４】
第３の発明は、それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、前記車両運行管理センタから前記中央制御モジュールへ、タイヤの装着位置毎にタイヤ装着位置のタイヤ内に取り付けられたセンサモジュールの識別コード情報の信号を送信することを特徴とする。
【００１５】
第４の発明は、それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、前記車両運行管理センタから前記中央制御モジュールへ時刻情報の信号を送信し、中央制御モジュールの時刻と車両運行管理センタの時刻を同期させることによって、車両運行管理センタの時刻に同期させた時刻におけるタイヤに関するデータを車両運行管理センタへ送信することを特徴とする。
【００１６】
第５の発明は、それぞれのタイヤ内に取り付けられたセンサモジュールと、これらのセンサモジュールから送信されるタイヤに関するデータをアンテナを介して取得する中央制御モジュールと、タイヤの走行状況を監視する車両運行管理センタとを備えるタイヤ情報管理システムにおいて、前記中央制御モジュールから前記車両運行管理センタへ、タイヤに関するデータとともにタイヤの装着位置情報またはタイヤのセリアル番号情報の信号を送信することを特徴とする。
【発明の効果】
【００１７】
第1の発明は、中央制御モジュールが車両運行管理センタから外気温度の情報の信号を受信することによって、温度変化後のタイヤの推奨圧力値を算出し、温度上昇後のタイヤの推奨圧力値とタイヤの実際の内圧値を比較することによりタイヤ圧力の異常を判断することができる。
【００１８】
第２の発明は、中央制御モジュールが車両運行管理センタから車両番号情報の信号を受信することによって、センサモジュールと車両の関係を自動で対応付けるので、車両運行管理センタ７において、複数の車両から送られてくる圧力・温度データの混同を回避することができる。
【００１９】
第３の発明は、中央制御モジュールが車両運行管理センタからタイヤの装着位置毎にタイヤ装着位置のタイヤ内に取り付けられたセンサモジュールの識別コード情報を受信することによって、タイヤの装着位置とセンサモジュールの識別コードとの関係を自動で対応付けて直接中央制御モジュールに登録するので、作業者による登録ミスが無く、かつ、ノートパソコン等によりセンサモジュールの識別コード（センサＩＤ）情報のデータを持ち運ぶ必要がないため登録作業の軽労化を図ることができ、また、登録のタイムラグを無くすことができる。
【００２０】
第４の発明は、中央制御モジュールが車両運行管理センタから時刻データを受信することによって、車両内の中央制御モジュールの時刻を車両運行管理センタの時刻に同期させることができ、これにより、車両運行管理センタの時刻に同期させた時刻におけるタイヤの圧力・温度の測定データを車両運行管理センタへ送信することができる。
【００２１】
第５の発明は、中央制御モジュールが車両運行管理センタにタイヤの装着位置やタイヤのセリアル番号情報を提供することでタイヤ管理の軽労化を図ることができる。車両運行管理センタに各タイヤの圧力・温度を提供することはもちろん、タイヤのセリアル番号情報も合わせて提供することで、車両運行管理センタは、送られてきた電子データをそのまま解析することができ、タイヤ管理の軽労化を図ることができる。
【発明を実施するための最良の形態】
【００２２】
次に、本発明の実施の形態について図面を参照して説明する。図１は、本発明のタイヤ情報管理システムのブロック図である。図１において、タイヤ情報管理システム１０は、車両６のそれぞれのタイヤ４内に取り付けられたセンサモジュール３（ＳＭ１〜ＳＭ６）と、センサモジュール３（ＳＭ１〜ＳＭ６）からのタイヤに関する、タイヤの圧力や温度等の測定データを含む無線信号を受信するアンテナ２と、このアンテナ２に接続され、センサモジュール３（ＳＭ１〜ＳＭ６）からのデータを取得する受信モジュール１（ＲＭ１〜ＲＭ４）と、それぞれの受信モジュール１からの信号を集める中央制御モジュール５と、タイヤの走行状況を監視する車両運行管理センタ７と、中央制御モジュール５と車両運行管理センタ７との間で無線信号の送受信を行うためのアンテナ１２，１３とから構成されている。
【００２３】
中央制御モジュール５には、受信モジュール１（ＲＭ１〜ＲＭ４）が接続されている。また、センサモジュール３（ＳＭ１）の近傍にはアンテナ２と、アンテナ２に接続された受信モジュール１（ＲＭ１）が配置され、センサモジュール３（ＳＭ２）の近傍にはアンテナ２と、アンテナ２に接続された受信モジュール１（ＲＭ２）が配置され、センサモジュール３（ＳＭ３，ＳＭ４）の近傍にはアンテナ２と、アンテナ２に接続された受信モジュール１（ＲＭ３）が配置され、センサモジュール３（ＳＭ５，ＳＭ６）の近傍にはアンテナ２と、アンテナ２に接続された受信モジュール１（ＲＭ４）が配置されている。
【００２４】
また、中央制御モジュール５は、受信モジュール１（ＲＭ１〜ＲＭ４）を介して全てのセンサモジュール３（ＳＭ１〜ＳＭ６）に命令して、各センサモジュール３に温度や圧力の測定データ等を含むデータ信号を送信させ、各センサモジュール３から送信された測定結果を、受信モジュール１（ＲＭ１〜ＲＭ４）を介して取得する測定データ取得手段１１を備える。なお、測定データ取得手段は、ＣＰＵ、メモリおよびメモリに格納されたプログラム等で構成される。
【００２５】
このタイヤ情報管理システムは、タイヤ近傍に配置されたアンテナを用いて、全てのセンサモジュールからデータを取得することができ、中央制御モジュール５に集められたデータは、タイヤの走行状態を監視する車両運行管理センタ７に送信される。
【実施例１】
【００２６】
次に、本発明の実施例１について説明する。本発明の実施例１は、図２に示すように、車両運行管理センタ７から中央制御モジュール５へ外気温度の情報の信号を送信するものであり、中央制御モジュールにおいて、外気温度を用いて、より正確なタイヤ内圧補正を行うものである。
【００２７】
タイヤには基準となる推奨圧力値があり、この基準となる推奨圧力値は温度により変化する。したがって、タイヤ圧力の異常を判断するためには、温度変化後のタイヤの推奨圧力値とタイヤの実際の内圧値を比較する必要があり、そのためには、温度変化後のタイヤの推奨圧力値を算出する必要がある。そして、この温度変化後の推奨圧力値を算出するためには、基準となる推奨圧力値について外気温度と内部温度による補正が必要である。基準となる推奨圧力値をＰとし、温度変化後の推奨圧力値をＰＴとすると、ＰＴは、
ＰＴ＝｛（２７３°＋タイヤの中の温度）／（２７３°＋外気温度）｝×Ｐ＋Ｃ（ｔ）
で与えられる。Ｃ（ｔ）は、タイヤ内の水分の蒸発による分圧分やタイヤ内容積の温度による変化分を補正するファクターである。
【００２８】
中央制御モジュールは、車両運行管理センタ７から受信した外気温度を用いて温度変化後の推奨圧力値を求め、求めた推奨圧力値を車両管理者に知らせ、また、温度変化後のタイヤの推奨圧力値とタイヤの実際の内圧値を比較することによって、タイヤ圧力の異常を知ることができる。
【実施例２】
【００２９】
次に、本発明の実施例２について説明する。本発明の実施例２は、図３に示すように、車両運行管理センタ７から中央制御モジュール５へ車両番号情報の信号を送信するものである。各車両に車両番号情報の信号を送信し、センサモジュールと車両との関係を自動で対応付けることによって、センサモジュールからの圧力・温度データに車両番号情報を付加することができるので、車両運行管理センタ７において、複数の車両から送られてくる圧力・温度データの混同を回避することができる。
【実施例３】
【００３０】
次に、本発明の実施例３について説明する。本発明の実施例３は、図４に示すように、車両運行管理センタ７から中央制御モジュール５へ、タイヤの装着位置毎にタイヤ装着位置のタイヤ内に取り付けられたセンサモジュールの識別コード（センサＩＤ）情報の信号を送信するものである。車両運行管理センタ７は、車両番号毎に、タイヤの装着位置と、タイヤのセリアル番号と、タイヤ内に装着されたセンサモジュールの識別コード（センサＩＤ）とが対応付けられたタイヤ管理情報のデータベースを有し、各車両に少なくともタイヤの装着位置毎にタイヤ装着位置のタイヤ内に取り付けられたセンサモジュールの識別コード情報の信号を送信して、中央制御モジュール５にてタイヤの装着位置とセンサモジュールの識別コードとの関係を自動で対応付けて直接中央制御モジュールに登録するので、作業者による登録ミスが無く、かつ、ノートパソコン等によりセンサモジュールの識別コード（センサＩＤ）情報のデータを持ち運ぶ必要がないため登録作業の軽労化を図ることができ、また、登録のタイムラグを無くすことができる。また、車両運行管理センタ７は、車両番号毎に、タイヤの装着位置と、タイヤのセリアル番号と、タイヤ内に装着されたセンサモジュールの識別コード（センサＩＤ）とが対応付けられたタイヤ管理情報を有し、全てのタイヤ情報を集めることができるので、車両運行管理センタ７でのタイヤの一元管理が可能となる。
【実施例４】
【００３１】
次に、本発明の実施例４について説明する。本発明の実施例４は、図５に示すように、車両運行管理センタ７から中央制御モジュール５へ時刻情報の信号を送信するものである。中央制御モジュール５は、車両運行管理センタから時刻データを受信することで、車両内の中央制御モジュール５の時刻を車両運行管理センタ７の時刻に同期させることができ、これにより、車両運行管理センタの時刻に同期させた時刻におけるタイヤの圧力・温度の測定データを車両運行管理センタへ送信することができる。
【実施例５】
【００３２】
次に、本発明の実施例５について説明する。本発明の実施例５は、図６に示すように、中央制御モジュール５から車両運行管理センタ７へタイヤの装着位置情報またはタイヤのセリアル番号情報の信号を送信するものである。中央制御モジュール５から車両運行管理センタ７へ、各タイヤの圧力・温度データと、タイヤの装着位置情報またはタイヤのセリアル番号情報とが、対になって送られるので、車両運行管理センタ７は、送られてきた電子データをそのまま解析することができ、タイヤ管理の軽労化を図ることができる。
【００３３】
なお、上述したタイヤ情報管理システムでは、受信モジュール本体とアンテナとを分離した構成となっているが、本発明は、受信モジュール本体とアンテナとを一体とした構成でも良いことは言うまでもない。
【００３４】
また、上述したタイヤ情報管理システムでは、受信モジュールとアンテナをセンサモジュールのあるタイヤ近傍に配置したが、図７に示すように、アンテナ２のみをタイヤ近傍に配置し、受信モジュール８を中央制御モジュール５と一体構造とし、アンテナ切換手段９を切り換えて受信モジュール８とアンテナ２とを接続するようにしても良い。
【００３５】
また、実施例１〜実施例５を任意に組み合わせても良いことは言うまでもない。
【図面の簡単な説明】
【００３６】
【図１】本発明のタイヤ情報管理システムのブロック図である。
【図２】実施例１を説明する図である。
【図３】実施例２を説明する図である。
【図４】実施例３を説明する図である。
【図５】実施例４を説明する図である。
【図６】実施例５を説明する図である。
【図７】タイヤ情報管理システムの変形例を示すブロック図である。
【符号の説明】
【００３７】
１，８  受信モジュール
２，１２，１３  アンテナ
３  センサモジュール
４  タイヤ
５  中央制御モジュール
６  車両
７  車両運行管理センタ
９  アンテナ切換手段
１０  タイヤ情報管理システム
１１  測定データ取得手段
【図１】
2007153316.tif 000003
【図２】
2007153316.tif 000004
【図３】
2007153316.tif 000005
【図４】
2007153316.tif 000006
【図５】
2007153316.tif 000007
【図６】
2007153316.tif 000008
【図７】
2007153316.tif 000009